(57)【要約】【課題】  カートンの内部に収容された物品が前記カートンの内部から抜け落ちるのを確実に防止することができるとともに、カートンブランクの材料の更なる節約を図る。【解決手段】  物品保持手段を構成する凸部１１は、この凸部１１が設けられた側壁４において第１折曲線１４に沿って折曲可能とされた折り返し片１５と、折り返し片１５に折曲可能に連設されたガゼット片１６と、ガゼット片１６に折曲可能に連設され頂壁２に形成されたウエブ片１７と、ウエブ片１７に折曲可能に連設され凸部１１が設けられた頂壁２と一体に形成された被覆片１８とを有し、第１折曲線１４を、パネル折曲線３を基端として側壁４の幅方向における中央方向に傾斜しパネル折曲線３に対して鋭角をなす位置に配置する。【選択図】      図１
2005329967.tif 000002
【特許請求の範囲】
【請求項１】
頂壁、１対の側壁および底壁をそれぞれ構成する各パネルが、１列に配されてそれぞれ隣接する前記各パネルと折曲可能に連設されており、スリーブ状のカートンを形成するカートンブランクであって、
前記各パネルの両端縁にそれぞれ凹部を形成することにより、前記カートンブランクの両長辺に沿って前記各凹部の間に位置し、隣接する２つの前記パネルにまたがる複数の凸部を設け、
前記各凸部の輪郭形状および寸法を均一にし、
前記各凹部のうち隣位の１対の前記各凸部間に位置する各凹部の輪郭形状および寸法を均一にし、
隣位の１対の前記各凸部間に位置する各凹部のそれぞれの輪郭形状および寸法を前記各凸部の輪郭形状および寸法に一致させ、
少なくとも１つの前記各凸部は、前記カートンの内部に収容された各物品を前記カートン内部に保持する物品保持手段を構成し、
前記物品保持手段を構成する前記凸部は、この凸部が設けられた２つのパネルのうち一方のパネルにおいて第１折曲線に沿って折曲可能とされた折り返し片と、前記折り返し片に折曲可能に連設されたガゼット片と、前記ガゼット片に折曲可能に連設された前記凸部が設けられた２つのパネルのうち他方のパネルに形成されたウエブ片と、前記ウエブ片に折曲可能に連設され前記他方のパネルと一体に形成された被覆片とを有し、
前記第１折曲線を、前記２つのパネル間のパネル折曲線を基端として前記パネルの幅方向における中央方向に傾斜し前記パネル折曲線に対して鋭角をなす位置に配置することを特徴とするカートンブランク。
【請求項２】
前記各凹部における前記パネル折曲線に沿う幅方向の切込み寸法を、前記カートンブランクにおける前記幅方向の最大寸法の１５％以上とすることを特徴とする請求項１に記載のカートンブランク。
【請求項３】
前記各凹部の前記切込み寸法を、前記カートンブランクにおける前記幅方向の最大寸法の２０％以上とすることを特徴とする請求項２に記載のカートンブランク。
【請求項４】
前記ガゼット片と前記ウエブ片との間の第２折曲線を、前記パネル折曲線の一直線上に配置し、前記折り返し片と前記ガゼット片との間の第３折曲線を、前記第２折曲線に対してほぼ直角に配置することを特徴とする請求項１から請求項３のいずれか１項に記載のカートンブランク。
【請求項５】
前記ウエブ片と前記被覆片との間の第４折曲線と前記第１折曲線とを、ほぼ一直線上に配置することを特徴とする請求項１から請求項４のいずれか１項に記載のカートンブランク。
【発明の詳細な説明】
【技術分野】
【０００１】
本発明はカートンブランクに係り、特に、複数の物品を収容するスリーブ状のカートンを形成するためのカートンブランクに関する。
【背景技術】
【０００２】
従来より、缶等の物品を多量に保管してまとめて運搬するため、これら複数の物品をまとめて収容するスリーブ状のカートンが知られている。
【０００３】
図４は、従来のカートンを構成するカートンブランクを２枚相互に密着状態に配置した状態を示す平面図であり、図４に示すように、従来のカートンブランク４１は、頂壁４２、１対の側壁４３および底壁４４をそれぞれ構成する各パネルを有している。前記各パネルは、１列に配されてそれぞれ隣接する前記各パネルとそれぞれパネル折曲線４５，４６を介して折曲可能に連設されており、このカートンブランク４１により形成されたカートンは、両端に開口が形成されるようになっている。
【０００４】
また、各パネルの両端縁には、それぞれ凹部４８が形成されており、これにより、カートンブランク４１は、カートンブランク４１の両長辺に沿って各凹部４８の間に並び、２つの前記パネルに跨るように設けられた複数の凸部４９を有するようになっている。各凹部４８は、前記パネル折曲線４５，４６に沿う幅方向の切れ込み寸法がカートンブランク４１の前記幅方向の寸法の１０％以下に形成されている。
【０００５】
前記各凸部４９の輪郭形状および寸法は均一に形成され、前記各凹部４８のうち各凸部４９間に位置する凹部４８の輪郭形状および寸法は均一に形成され、かつ前記各凸部４９間に位置する各凹部４８のそれぞれの輪郭形状および寸法は前記各凸部４９の輪郭形状および寸法に一致するように形成されている。
【０００６】
このようなカートンブランク４１は、一般に、材料となる１枚の厚紙等から複数のものが形成されるようになっている。このとき、隣接する各カートンブランク４１のそれぞれの凹部４８と凸部４９とを嵌合するように配置して、各カートンブランク４１の側縁同士を密着させることにより、カートンブランク４１の材料を節約することができるようになっていた（例えば、特許文献１参照）。
【０００７】
しかし、前述の特許文献１に示すようなカートンであっても、例えば円柱形状である各物品を収容する場合には、前記各物品の収容に寄与しない部分が残存していた。
【０００８】
ここで、近年の環境保護の問題や、製造コストの低廉化を図る等の観点からは、カートンブランク４１の材料の更なる節約が望まれている。
【０００９】
さらに、このようなカートンブランク４１により形成されるスリーブ状のカートンにおいては、内部に収容される各物品が前記カートンの両端開口から抜け落ちやすいため、各物品をカートン内部に確実に保持する必要があった。
【００１０】
【特許文献１】特開平２００３−０３４３５４号公報
【発明の開示】
【発明が解決しようとする課題】
【００１１】
本発明はこれらの点に鑑みてなされたものであり、カートンの内部に収容された物品が前記カートンの内部から抜け落ちるのを確実に防止することができるとともに、カートンブランクの材料の更なる節約を図ることができるカートンブランクを提供することを目的とする。
【課題を解決するための手段】
【００１２】
前記目的を達成するため、本発明に係るカートンブランクの特徴は、頂壁、１対の側壁および底壁をそれぞれ構成する各パネルが、１列に配されてそれぞれ隣接する前記各パネルと折曲可能に連設されており、スリーブ状のカートンを形成するカートンブランクであって、前記各パネルの両端縁にそれぞれ凹部を形成することにより、前記カートンブランクの両長辺に沿って前記各凹部の間に位置し、隣接する２つの前記パネルにまたがる複数の凸部を設け、前記各凸部の輪郭形状および寸法を均一にし、前記各凹部のうち隣位の１対の前記各凸部間に位置する各凹部の輪郭形状および寸法を均一にし、隣位の１対の前記各凸部間に位置する各凹部のそれぞれの輪郭形状および寸法を前記各凸部の輪郭形状および寸法に一致させ、少なくとも１つの前記各凸部は、前記カートンの内部に収容された各物品を前記カートン内部に保持する物品保持手段を構成し、前記物品保持手段を構成する前記凸部は、この凸部が設けられた２つのパネルのうち一方のパネルにおいて第１折曲線に沿って折曲可能とされた折り返し片と、前記折り返し片に折曲可能に連設されたガゼット片と、前記ガゼット片に折曲可能に連設され前記凸部が設けられた２つのパネルのうち他方のパネルに形成されたウエブ片と、前記ウエブ片に折曲可能に連設され前記他のパネルと一体に形成された被覆片とを有し、前記第１折曲線を、前記２つのパネル間のパネル折曲線を基端として前記パネルの幅方向における中央方向に傾斜し前記パネル折曲線に対して鋭角をなす位置に配置する点にある。
【００１３】
また、本発明に係るカートンブランクにおいては、前記各凹部における前記パネル折曲線に沿う幅方向の切込み寸法を、前記カートンブランクにおける前記幅方向の最大寸法の１５％以上とすることが好ましく、さらには、２０％以上とすることがより好ましい。
【００１４】
さらに、前記ガゼット片と前記ウエブ片との間の第２折曲線を、前記パネル折曲線の一直線上に配置し、前記折り返し片と前記ガゼット片との間の第３折曲線を、前記第２折曲線に対してほぼ直角に配置するとよく、また、前記ウエブ片と前記被覆片との間の第４折曲線と前記第１折曲線とを、ほぼ一直線上に配置するとよい。
【００１５】
本発明によれば、各第１折曲線が、頂壁および両側壁間のパネル折曲線を基端として両側壁の中央方向に傾斜し、前記パネル折曲線に対して鋭角をなす位置に配置されているので、カートンブランク全体に対する各折り返し片および各ガゼット片の面積の割合を、従来よりも大きくすることができる。これにより、各ガゼット片によって各物品の上端部分を広く被覆することができる。また、第３折曲線を第２折曲線に対してほぼ直角に配置し、各ガゼット片を四角形状に形成しているので、より各ガゼット片を大きく形成することができる。
【００１６】
また、各凹部の切込み寸法を、カートンブランクにおける幅方向の最大寸法の１５％以上、好ましくは２０％以上とすることにより、カートンブランクにおいて従来と比較して一層各物品の収容に寄与しない部分を省略することができる。
【発明の効果】
【００１７】
以上述べたように、本発明に係るカートンブランクによれば、各ガゼット片および各ウエブ片により、各物品の上端部分を従来より広く被覆することができるので、カートンの両端開口に臨む各物品を確実に保持することができ、各物品がカートン内部から抜け落ちるのを防止することができる。
【００１８】
また、カートンブランクにおいては、各物品の収容に寄与しない部分を省略することができるので、カートンブランクを形成する際、１枚の材料にて複数の前記カートンブランクの凹部と凸部とを嵌合するように配置して隣接する各カートンブランクの側縁同士を密着させることにより、厚紙等の材料を効率的に利用することができ、前記材料の更なる節約を図ることができる。
【発明を実施するための最良の形態】
【００１９】
以下、本発明に係るカートンブランクの一実施形態を図１から図３を参照して説明する。
【００２０】
図１は、本実施形態に係るカートンブランクを示す平面図であり、前記カートンブランク１は、一例として厚紙により形成されているが、プラスチックシートその他の材料により形成することも可能である。
【００２１】
カートンブランク１は、全体として、例えば物品としての円柱形状であって下端面が凹状である６本の缶を３個ずつ２列に収容しうる寸法を有している。このカートンブランク１は、その長手方向の中央部に長方形状のパネルからなる頂壁２を有しており、頂壁２の両側縁には、それぞれパネル折曲線３を介してパネルからなる側壁４が連設されている。
【００２２】
各側壁４における前記頂壁２と反対側の側縁には、各側壁４の一部をなし、各側壁４の側縁に平行な幅方向に細長く、かつ組み立て状態において傾斜配置される傾斜壁５がそれぞれ折曲線６を介して連設されている。各傾斜壁５の前記各側壁４と反対側の側縁には、それぞれパネル折曲線７を介してパネルからなる底板８Ａ，８Ｂが連設されており、各底板８Ａ，８Ｂは、組み立て状態において各底板８Ａ，８Ｂにおける傾斜壁５と反対側の側縁部分を相互に接続したときに、頂壁２に対向するように配置される１枚の底壁を構成するようになっている。
【００２３】
そして、それぞれパネルからなる頂壁２、両側壁４および各底板８Ａ，８Ｂは、１列に配されるようになっている。このカートンブランク１により形成されたカートンは、両端に開口が形成されるようになっている。
【００２４】
また、頂壁２、両側壁４および各底板８Ａ，８Ｂの両端縁には、それぞれ凹部１０が形成されており、これにより、カートンブランク１の両長辺に沿って各凹部１０の間に位置し、頂壁２、両側壁４および各底板８Ａ，８Ｂを構成するパネルのうち隣接するいずれか２つのパネルにまたがって各パネル折曲線３，７の両端部位に位置するように、それぞれ凸部１１が形成されるようになっている。
【００２５】
各凸部１１は、１対の等長の側縁を有する台形状であって、各頂角が面取りされて形成されており、各凸部１１の輪郭形状および寸法は均一に形成されている。
【００２６】
各凹部１０は、各凸部１１とそれぞれ側縁を供給するようにして各凸部１１に連設されており、各凹部１０のうち隣位の１対の凸部１１間に位置する各凹部１０の輪郭形状および寸法も均一に形成されている。これら各凹部１０における前記パネル折曲線３，７に沿う幅方向の切込み寸法は、カートンブランク１における幅方向の最大寸法の１５％以上に形成されることが好ましく、さらに好ましくは、２０％以上に形成される。
【００２７】
そして、隣位の１対の凸部１１間に位置する各凹部１０のそれぞれの輪郭形状および寸法は、各凸部１１の輪郭形状および寸法に一致するように形成されている。
【００２８】
各凸部１１のうち頂壁２および両側壁４の各パネルを跨いで形成されている４つの凸部１１は、カートンの内部に収容された各物品をカートン内部に保持するための物品保持手段１３を構成するようになっている。
【００２９】
これら物品保持手段１３を構成する各凸部１１のうちの側壁４側は、側壁４において第１折曲線１４に沿って折曲可能とされた三角形状の折り返し片１５と、各折り返し片１５に折曲可能に連設された四角形状のガゼット片１６とを有している。また、物品保持手段１３を構成する各凸部１１のうちの頂壁２側は、各ガゼット片１６に折曲可能に連設され頂壁２に形成された三角形状のウエブ片１７と、各ウエブ片１７に折曲可能に連設され頂壁２と一体に形成された被覆片１８とを有している。
【００３０】
両側壁４と各折り返し片１５との間の第１折曲線１４は、頂壁２および両側壁４間のパネル折曲線３に対して鋭角をなす位置に配置されており、詳しくは、前記パネル折曲線３を基端として各側壁４の幅方向における中央方向に傾斜し、この第１折曲線１４に接する折り返し片１５が形成された凸部１１の基端部に延びるように形成されている。また、各ガゼット片１６と各ウエブ片１７との間の第２折曲線２０は、前記パネル折曲線３の一直線状に配置され各パネル折曲線３の端部とされており、各折り返し片１５と各ガゼット片１６との間の第３折曲線２１は、各第２折曲線２０に対してほぼ直角に配置されている。さらに、各ウエブ片１７と各被覆片１８との間の第４折曲線２２は、前記各第１折曲線１４に対してほぼ一直線上に配置されている。
【００３１】
前記各凸部１１は、図２に示すように、カートンブランク１の組み立て時において、各第１折曲線１４、各第２折曲線２０および各第４折曲線２２を山折りに、各第３折曲線２１を谷折りにすることにより、各折り返し片１５がカートン２３内部に折りたたまれることとなる。そして、各ガゼット片１６および各ウエブ片１７の内面がカートン２３の内部に収容されカートン２３の両端開口に臨む各物品３９の側面を立体的に被覆し、各被覆片１８の内面が前記各物品３９の頂面を被覆するようになっている。このようにして、各折り返し片１５、各ガゼット片１６、各ウエブ片１７および各被覆片１８は、各物品３９をカートン内部２３に保持するようになっている。
【００３２】
また、前記頂壁２には、一部がこの頂壁２と折曲線２４を介して連設され、それぞれ指挿入開口２５を形成する１対の折曲片２６が設けられており、これら指挿入開口２５に指を挿入することにより、各物品３９を収容したカートン２３を容易に持ち運ぶことができるようになっている。
【００３３】
前記頂壁２における各指挿入開口２５よりも両側縁側には、頂壁２の一端縁から他端縁にわたる１対の破断線２７が、各指挿入開口２５を間に挟んで位置するように形成されている。そして、これら両破断線２７に囲まれた頂壁２の一端縁を把持し、他端側に引っ張ることにより、両破断線２７によって頂壁２を破断させて、カートン２３を容易に開封することができる。
【００３４】
さらに、前記各傾斜壁５におけるカートン２３の内部に収容された各物品３９の下端部に対向する位置には、物品保持孔２８が形成されており、各物品保持孔２８は、その一部が両側壁４の一部に至るように形成されている。各物品保持孔２８の開口縁には、折曲線２９を介して両底板８Ａ，８に連設され各物品保持孔２８内に臨むように物品保持タブ３０が形成されている。そして、各物品保持孔２８に各物品の下端部分を嵌合させ、各物品保持タブ３０を各物品３９の下端面の凹状の内周面に係合させることにより、各物品３９をカートン２３の内部に保持することができるようになっている。
【００３５】
さらにまた、一方の底板８Ａにおける側壁４と反対側の端縁部分には、幅方向に間隔を隔てて４個の「きのこ」状の連結タブ３２がそれぞれ切込み線３３により形成されており、各連結タブ３２の側壁４側の端縁部分は折曲線３４を介して底板８Ａに連設されている。他方の底板８Ｂにおける各連結タブ３２に対応する位置には、長方形状のタブ嵌合開口３６がそれぞれ切込み線３７により形成されており、各タブ嵌合開口３６の側壁４側の端縁は底板８Ｂに連設されている。そして、カートンブランク１の組み立て時において各連結タブ３２を各タブ嵌合開口３６に嵌合させることにより、両底板８Ａ，８Ｂを接続してカートン２３の底壁３８を構成するようになっている。
【００３６】
なお、両底板８Ａ，８Ｂの接続手段については、前述の各連結タブ３２を各タブ嵌合開口３６に嵌合させるものに限定されず、例えば各底板８Ａ，８Ｂの他端縁を接着材等により接着させてもよい。
【００３７】
このカートンブランク１を形成する際、１枚の厚紙等の材料に、図３に示すように、複数のカートンブランク１の原型を、相互にずらして各凹部１０と各凸部１１とを相互に嵌合させるように隣接させて配置させる。このとき、各凸部１１と各凹部１０とは輪郭形状および寸法が均一に形成されているので、各カートンブランク１の各側縁を完全に密着させることができる。そして、この厚紙を打ち抜くことにより、複数のカートンブランク１を形成する。
【００３８】
次に、本実施形態のカートンブランク１の組み立て手順について説明する。
【００３９】
まず、カートンブランク１の頂壁２上に各物品３９を整列配置させ、カートンブランク１の第１折曲線１４、第２折曲線２０および第４折曲線２２を山折りにするとともに、第３折曲線２１を谷折りにし、各ガゼット片１６および各ウエブ片１７の内面を各物品３９の側面上端部分に立体的に沿わせる。また、各パネル折曲線３を山折りにして、各折り返し片１５の内面を両側壁４の内面に当接させるとともに、カートンブランク１の両側壁４をこれら各物品３９の外周面に沿わせる。さらに、折曲線６およびパネル折曲線７を山折りし、各物品保持孔２８を各物品３９の下端部に嵌合させた状態を保持した上で、各物品保持タブ３０をカートン内部に臨むように折曲線３０を介して折曲し、各物品３９の下端面における凹状の内周面に係合させる。そして、両底板８Ａ，８Ｂを重ね合わせ、各連結タブ３２を各タブ嵌合開口３６に嵌合させて、両底板８Ａ，８Ｂを接続することにより底壁３８を構成し、前記底壁３８により各物品３９の下端面を被覆する。
【００４０】
このようにして、物品３９の各面にカートンブランク１の頂壁２、両側壁４および底壁３８を沿わせることにより、カートン２３の両端開口に臨む各物品３９の上端部を物品保持手段１３を構成する各ウエブ片１７および各ガゼット片１６により被覆して、各物品３９をカートン２３の内部に保持することができる。
【００４１】
次に、本実施形態の作用について説明する。
【００４２】
本実施形態によれば、各第１折曲線１４が、頂壁２および両側壁４間のパネル折曲線３を基端として各側壁４の中央方向に傾斜し、前記パネル折曲線３に対して鋭角をなす位置に配置されているので、カートンブランク１の全体に対する各折り返し片１５および各ガゼット片１６の面積の割合を、従来よりも大きく取ることができる。これにより、各ガゼット片１６によって各物品３９の上端部分を広く被覆することができる。また、第３折曲線２１を第２折曲線２０に対してほぼ直角に配置し、各ガゼット片１６を四角形状に形成しているので、より各ガゼット片１６を大きく形成することができる。
【００４３】
また、各凹部１０の切込み寸法を、カートンブランク１における幅方向の最大寸法の１５％以上、好ましくは２０％以上としているので、カートンブランク１において従来と比較して一層各物品３９の収容に寄与しない部分を省略することができる。
【００４４】
したがって、各ガゼット片１６および各ウエブ片１７により、各物品３９の上端部分を従来より広く被覆することができるので、カートン２３の両端開口に臨む各物品３９を確実に保持することができ、各物品３９がカートン２３内部から抜け落ちるのを防止することができる。
【００４５】
また、カートンブランク１において各物品３９の収容に寄与しない部分を省略することができるので、カートンブランク１を形成する際、１枚の材料にて複数の前記カートンブランク１の凹部１０と凸部１１とを嵌合するように配置して隣接する各カートンブランク１の側縁同士を密着させることにより、厚紙等の材料を効率的に利用することができ、材料の更なる節約を図ることができる。
【００４６】
なお、本発明は前記実施形態に限定されるものではなく、必要に応じて種々変更することが可能である。
【図面の簡単な説明】
【００４７】
【図１】本発明に係るカートンブランクの一実施形態を示す平面図
【図２】図１のカートンブランクを組み立てて形成したカートンの要部を示す斜視図
【図３】図１の複数のカートンブランクを相互に密着状態に配置した状態を示す平面図
【図４】従来の複数のカートンブランクを相互に密着状態に配置した状態を示す平面図
【符号の説明】
【００４８】
１  カートンブランク
２  頂壁
３  パネル曲線
４  側壁
７  パネル折曲線
８Ａ、Ｂ  底板
１０  凹部
１１  凸部
１３  物品保持手段
１４  第１折曲線
１５  折り返し片
１６  ガゼット片
１７  ウエブ片
１８  被覆片
２０  第２折曲線
２１  第３折曲線
２２  第４折曲線
２３  カートン
３９  物品
【図１】
2005329967.tif 000003
【図２】
2005329967.tif 000004
【図３】
2005329967.tif 000005
【図４】
2005329967.tif 000006